(57)【要約】【課題】選局から受信された信号を再生するまでの時間を短くし、消費電力を抑えることができるテレビジョン受信装置を提供することを目的とする。【解決手段】２以上の復調回路と、前記各復調回路毎に対応して存在し、対応する復調回路のトランスポートストリーム出力を制御信号に基いて通過または遮断する出力制御回路と、前記出力制御回路の出力が振幅変動があり閾値以上の立ち上がりまたは立ち下がりを有する信号である場合にのみ前記出力制御回路の出力に基いてデコード動作を行うデコード回路と、受信しようとする前記復調回路に対応する前記出力制御回路に対して通過させる旨の制御信号を送信し受信が不要な前記復調回路に対応する前記出力制御回路に対して遮断させる旨の制御信号を送信する制御装置とを備えた構成を有している。【選択図】図１
2007306099.tif 000002
【特許請求の範囲】
【請求項１】
２以上の復調回路と、
前記各復調回路毎に対応して存在し、対応する復調回路のトランスポートストリーム出力を制御信号に基いて通過または遮断する出力制御回路と、
前記出力制御回路の出力が振幅変動があり閾値以上の立ち上がりまたは立ち下がりを有する信号である場合にのみ前記出力制御回路の出力に基いてデコード動作を行うデコード回路と、
受信しようとする前記復調回路に対応する前記出力制御回路に対して通過させる旨の制御信号を送信し受信が不要な前記復調回路に対応する前記出力制御回路に対して遮断させる旨の制御信号を送信する制御装置と、
を有するテレビジョン受信装置。
【請求項２】
前記出力制御回路における通過は前記復調回路のトランスポートストリーム出力を前記出力制御回路の出力とすることにより、そして遮断は前記出力制御回路の出力を固定電圧に接続する、接地する、または高インピーダンスにすることにより実現する請求項１記載のテレビジョン受信装置。
【請求項３】
前記出力制御回路は、レジスタによって動作させ、または復調デジタルＬＳＩ上に形成した請求項２に記載のテレビジョン受信装置。
【請求項４】
前記復調回路は、地上デジタル放送におけるＯＦＤＭ復調回路、衛星デジタル放送におけるＰＳＫ復調回路またはＣＡＴＶデジタル放送におけるＱＡＭ復調回路の何れかを含む請求項１記載のテレビジョン受信装置。
【発明の詳細な説明】
【技術分野】
【０００１】
本発明は、低消費電力と選局から再生までの時間の高速性を備えたテレビジョン受信装置に関するものである。
【背景技術】
【０００２】
テレビジョン受信装置は、複数の放送に対応するために、２つ以上の複数のチューナを実装していることが多く行われている。従来のテレビジョン受信装置は複数のチューナにより選局され受信される信号の内のいずれかの信号を再生するかしないかを識別し、その識別結果を元に再生しない信号を選局し受信するチューナへの電力の供給を停止することをしている（例えば、特許文献１参照。）。
【０００３】
また、特許文献１の方法ではデジタル放送では選局から再生まで時間がかかる。そのため特許文献１のような制御方法を用いず複数のチューナをまたは復調回路を動作させ続けていた。
【特許文献１】特開平１０−１０８１１５号公報
【発明の開示】
【発明が解決しようとする課題】
【０００４】
しかしながら上記の従来の構成では、再生しない信号を選局し受信するチューナへの電力の供給を停止してしまうので、電力の供給を停止したチューナを用いて再生を行う場合、電力の供給を停止させないテレビジョン受信装置に比べて、電力の供給を復帰させ選局から受信される信号を再生するまでに時間がかかるという問題点を有していた。これは特にデジタル放送では復調回路の設定と復調回路と誤り訂正回路通過後の出力であるトランスポートストリームに時間がかかるためである。
【０００５】
また、デジタル放送はトランスポートストリームを映像出力、音声出力にデコードする必要があるため、その必要が無いアナログ放送に比べて出画までに時間がかかるという問題点を有していた。
【０００６】
そこでデコードを高速に行うために、デコード回路の入力を受信できるように動作させ続け、トランスポートストリームが入力されるのを待ち、入力され次第すぐにデコードできるよう動作を行っていた。ここでデコード回路の動作について説明する。デコード回路に入力される信号の振幅を観測し、閾値以上の信号の立ち上がりまたは立ち下がりが観測された場合、信号が入力されていると判断し、デコード回路はデコード動作を開始する。そのためデコード回路は、デコードのできない信号であっても、デコード回路の入力に振幅変動があり、立ち上がりまたは立ち下がりが観測された場合、デコード回路は動作を行うが出画はできず、デコード動作を行うために消費電力が高くなるという問題点を有していた。
【０００７】
このため、複数のチューナ動作を切り替えたタイミングや、復調回路が同期するまでの間において、信号が振幅しデコード回路が動作し消費電力が高くなるという問題点を有していた。
【０００８】
本発明は上記従来の問題点を解決するもので、選局から受信された信号を再生するまでの時間を短くし、消費電力を抑えることができるテレビジョン受信装置を提供することを目的とする。
【課題を解決するための手段】
【０００９】
この目的を達成するために本発明のテレビジョン受信装置は、２以上の復調回路と、前記各復調回路毎に対応して存在し、対応する復調回路のトランスポートストリーム出力を制御信号に基いて通過または遮断する出力制御回路と、前記出力制御回路の出力が振幅変動があり閾値以上の立ち上がりまたは立ち下がりを有する信号である場合にのみ前記出力制御回路の出力に基いてデコード動作を行うデコード回路と、受信しようとする前記復調回路に対応する前記出力制御回路に対して通過させる旨の制御信号を送信し受信が不要な前記復調回路に対応する前記出力制御回路に対して遮断させる旨の制御信号を送信する制御装置と、を備えた構成を有している。
【００１０】
また、前記出力制御回路における通過は前記復調回路のトランスポートストリーム出力を前記出力制御回路の出力とすることにより、そして遮断は前記出力制御回路の出力を固定電圧に接続する、接地する、または高インピーダンスにすることにより実現する構成を有している。
【００１１】
さらに、前記出力制御回路は、レジスタによって動作させ、または復調デジタルＬＳＩ上に形成した構成を有している。
【００１２】
また、前記復調回路は、地上デジタル放送におけるＯＦＤＭ復調回路、衛星デジタル放送におけるＰＳＫ復調回路またはＣＡＴＶデジタル放送におけるＱＡＭ復調回路の何れかを含む構成を有している。
【発明の効果】
【００１３】
以上のように本発明は、選局から受信された信号を再生するまでの時間を短くし、消費電力を抑えることができるという優れた効果が得られる。
【発明を実施するための最良の形態】
【００１４】
以下本発明を実施するための最良の形態について、図面を参照しながら説明する。
【００１５】
（実施の形態１）
図１は本発明の実施の形態１におけるテレビジョン受信装置の構成を示すブロック図である。選局しチューナから受信された信号を変調方式に合わせて復調した後、デジタル放送を出力する装置を有し、デコーダ回路に入力させるトランスポートストリームの制御を行う説明図である。テレビジョン受信装置１１７において、地上デジタル放送アンテナ１０１は地上デジタル放送を受信するために使用する地上デジタル放送用のアンテナである。地上デジタル放送アンテナ１０１から出力されたＲＦ（Ｒａｄｉｏ  Ｆｒｅｑｕｅｎｃｙ）信号は地上デジタル放送チューナ１０３を用いてチャンネルを選局し中間周波数信号に変換する。ＡＤ（Ａｎａｌｏｇ  Ｄｉｇｉｔａｌ）コンバータ１０５は中間周波数信号を地上デジタルデータに変換する。地上デジタルデータはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調回路１０７に入力されて復調動作を行う。誤り訂正回路１０９は復調された信号に対して誤り訂正を行いトランスポートストリームとなる。出力制御回路１１１は受信した地上デジタル放送のトランスポートストリームの出力の制御を行う。
【００１６】
衛星デジタル放送アンテナ１０２は衛星デジタル放送を受信するために使用する衛星放送用のアンテナである。衛星デジタル放送チューナ１０４は衛星デジタル放送アンテナ１０２から出力されたＩＦ（Ｉｎｔｅｒｍｅｄｉａｔｅ  Ｆｒｅｑｕｅｎｃｙ）信号をＩＱ（Ｉｎｐｈａｓｅ  Ｑｕａｄｒａｔｕｒｅ）信号に変換する。ＡＤコンバータ１０６はＩＱ信号を衛星デジタルデータに変換する。衛星デジタルデータはＰＳＫ（Ｐｈａｓｅ  Ｓｈｉｆｔ  Ｋｅｙｉｎｇ）復調回路１０８に入力されて復調動作を行う。誤り訂正回路１１０は復調動作が行われた衛星デジタルの信号に対して誤り訂正を行いトランスポートストリームとなる。出力制御回路１１２は衛星デジタル放送のトランスポートストリームを出力させる制御を行う。
【００１７】
ＴＳ（Ｔｒａｎｓｐｏｒｔ  Ｓｔｒｅａｍ）デコーダ１１４は衛星デジタル放送のトランスポートストリームと地上デジタル放送のトランスポートストリームをデコードして映像データ１１５と音声データ１１６として出力する。制御装置１１３は、ＴＳデコーダ１１４のデコードすべきトランスポートストリームとそれにあわせて出力制御回路１１１と出力制御回路１１２を制御する。
【００１８】
図２は本発明の実施の形態１における出力制御回路の構成を示すブロック図である。出力制御回路１１１，１１２の内部ではスイッチの切り替えにより４つの状態が存在する。この切り替えは制御端子２０６への入力によって制御される。
【００１９】
ＴＳ入力２０１は外部からのトランスポートストリームが接続されている。スイッチによってＴＳ入力２０１とＴＳ出力２０５とが接続されると出力制御回路１１１、１１２は入力されたトランスポートストリームを出力することができる。この状態を有効状態とする。トランスポートストリームがＴＳ出力２０５からＴＳデコーダ１１４に入力され、ＴＳデコーダ１１４で信号の振幅が変動していて立ち上がりまたは立ち下がりを観測できるため、ＴＳデコーダ１１４は信号の入力を感知しデコード動作を開始し電力を消費する。
【００２０】
スイッチによって電源２０２とＴＳ出力２０５とが接続されるとＴＳ出力２０５はある一定の電圧値を出力することができる。また、スイッチによって端子２０３とＴＳ出力２０５とが接続されるとＴＳ出力２０５はハイインピーダンスとなる。また、スイッチによって接地端子２０４とＴＳ出力２０５とが接続されると接地端子２０４は接地しているためＴＳ出力２０５は０ボルトとなる。この３つの状態ではトランスポートストリームは出力されず無効の状態となる。ＴＳデコーダ１１４の入力は振幅が固定されるため、立ち上がりまたは立ち下がりは観測されない。このため、ＴＳデコーダ１１４ではトランスポートストリームが入力されていないと判断される。この結果、デコード動作をせず電力を消費しない。
【００２１】
本発明のテレビジョン受信装置によれば、再生しない信号を選局し受信していたチューナから再生させる場合、復調回路の設定とチューナの設定を再設定する時間が短縮されて、再生するまでの時間を短くすることができる。二つ以上のチューナの中で、出画に関係しない信号の出力を停止することで、トランスポートストリームの出力回路を停止させ、デコード回路への信号の入力の振幅の変動がなくなりデコード回路の入力部では振幅の立ち上がりまたは立ち下がりを観測できないためデコード動作を行わない。そのためデコード回路が動作しないので回路の消費電力を抑えることができる。
【００２２】
なお本実施の形態において出力制御手段として出力制御回路１１１、出力制御回路１１２を設けたが、ＡＤコンバータ、復調回路、誤り訂正回路を一つにした地上または衛星デジタル放送復調ＬＳＩ（Ｌａｒｇｅ  Ｓｃａｌｅ  Ｉｎｔｅｇｒａｔｉｏｎ）の中に組み込んだとしても良い。また制御方法は制御装置を用いず、地上または衛星デジタル放送復調ＬＳＩの中に制御装置も組み込み、地上または衛星デジタル放送復調ＬＳＩのレジスタによって動作させても良い。
（実施の形態２）
図３は本発明の実施の形態２におけるテレビジョン受信装置の構成を示すブロック図であり、地上デジタル放送とＣＡＴＶ（Ｃａｂｌｅ  Ｔｅｌｅｖｉｓｉｏｎ）デジタル放送を受信させるときの説明図である。図３において、図１と同じ構成要素については同じ符号を用い、説明を省略する。図３において、入出力端子３０１から入力されたＣＡＴＶデジタル放送をＣＡＴＶデジタル放送チューナ３０２を用いて、チャンネルを選局し中間周波数信号に変換する。ＡＤコンバータ３０３は中間周波数信号をＣＡＴＶデジタルデータに変換する。ＣＡＴＶデジタルデータはＱＡＭ（Ｑｕａｄｒａｔｕｒｅ  Ａｍｐｌｉｔｕｄｅ  Ｍｏｄｕｌａｔｉｏｎ）復調回路３０４に入力されて復調動作を行う。その後は衛星デジタル放送の復調動作後と同じ様に動作する。
【００２３】
なお本実施の形態において地上デジタル放送を受信するために地上デジタル放送チューナ１０３とＡＤコンバータ１０５、ＣＡＴＶデジタル放送を受信するためのＣＡＴＶデジタル放送チューナ３０２とＡＤコンバータ３０３は各復調部にあるが両デジタル放送に対し共通にしてもよい。
【００２４】
また、実施の形態２においてＯＦＤＭ復調回路とＰＳＫ復調回路またはＯＦＤＭ復調回路とＱＡＭ復調回路でなくても二つ以上の復調回路を組み合わせたテレビジョン受信装置に出力制御回路を組み合わせてもよい。
【産業上の利用可能性】
【００２５】
本発明にかかるテレビジョン受信装置は、選局したチューナから再生するまでの時間が短くなることが可能になるので、低消費電力と選局から再生までの時間の高速性等として有用である。
【図面の簡単な説明】
【００２６】
【図１】本発明の実施の形態１におけるテレビジョン受信装置の構成を示すブロック図
【図２】本発明の実施の形態１における出力制御回路の構成を示すブロック図
【図３】本発明の実施の形態２におけるテレビジョン受信装置の構成を示すブロック図
【符号の説明】
【００２７】
１０１    地上デジタル放送アンテナ
１０２    衛星デジタル放送アンテナ
１０３    地上デジタル放送チューナ
１０４    衛星デジタル放送チューナ
１０５、１０６、３０３    ＡＤコンバータ
１０７    ＯＦＤＭ復調回路
１０８    ＰＳＫ復調回路
１０９    誤り訂正回路
１１０    誤り訂正回路
１１１    出力制御回路
１１２    出力制御回路
１１３    制御装置
１１４    ＴＳデコーダ
１１５    映像データ
１１６    音声データ
１１７    テレビジョン受信装置
２０１    ＴＳ入力
２０２    固定電圧電源
２０３    端子
２０４    接地端子
２０５    出力端子
２０６    制御端子
３０１    入出力端子
３０２    ＣＡＴＶデジタル放送チューナ
３０３    ＡＤコンバータ
３０４    ＱＡＭ復調回路
【図１】
2007306099.tif 000003
【図２】
2007306099.tif 000004
【図３】
2007306099.tif 000005